(57)【要約】【課題】本発明は、液体の漏出を抑制した吸収性物品を提供することを目的とする。【解決手段】本発明は、長手方向に沿った長さと、長手方向に直交する幅方向に沿った横幅とを有する吸収性物品であって、液不透過性のバックシートと、バックシートに接合される液透過性のトップシートと、バックシートとトップシートとの間に配される吸収体と、吸収体の左右両側の各縁において、吸収体をトップシート側から見た場合に少なくとも一部が吸収体に重なる状態で吸収体よりもトップシート側に配されており、高吸収性重合体であるＳＡＰの粒子群を有する、吸収性物品の着用者の臀部と吸収体との間において臀部に当接することになる一対の当接部と、を備える。【選択図】図３
2019136150.tif 000002
【特許請求の範囲】
【請求項１】
長手方向に沿った長さと、前記長手方向に直交する幅方向に沿った横幅とを有する吸収性物品であって、
液不透過性のバックシートと、
前記バックシートに接合される液透過性のトップシートと、
前記バックシートと前記トップシートとの間に配される吸収体と、
前記吸収体の左右両側の各縁において、前記吸収体を前記トップシート側から見た場合に少なくとも一部が前記吸収体に重なる状態で前記吸収体よりも前記トップシート側に配されており、高吸収性重合体であるＳＡＰの粒子群を有する、前記吸収性物品の着用者の臀部と前記吸収体との間において前記臀部に当接することになる一対の当接部と、
を備える、吸収性物品。
【請求項２】
前記吸収性物品は、前記着用者の前身頃、股下領域、後身頃に対応する部位を有し、
前記吸収体は、前記前身頃に対応する部位から前記後身頃に対応する部位にまで延在し、
前記当接部は、前記吸収体の左右両側の各縁の前記前身頃に対応する部位から前記後身頃に対応する部位にまで延在する、
請求項１に記載の吸収性物品。
【請求項３】
前記当接部は、前記トップシートに粘着剤で固定されている、
請求項１または２に記載の吸収性物品。
【請求項４】
前記当接部は、ＳＡＰの粒子群を基材に付着させたシートであり、着用者の下肢に対応する部位を切り欠いた切り欠き部を有する、
請求項１から３の何れか一項に記載の吸収性物品。
【請求項５】
前記吸収体は、パルプ繊維に粒子状吸収材を含有させたものであり、
前記当接部は、ＳＡＰの粒子群を基材に固定または繊維状材料に内包したシートである、
請求項１から４の何れか一項に記載の吸収性物品。
【請求項６】
前記当接部は、前記幅方向における両端部のうち前記吸収性物品の外側に近い方の端部が、前記吸収体の前記幅方向における両端部よりも前記外側寄りに存する、
請求項１から５の何れか一項に記載の吸収性物品。
【請求項７】
前記当接部は、前記着用者の股下領域に対応する部位にあるＳＡＰの粒子の密度が、前記着用者の前身頃及び後身頃に対応する部位にあるＳＡＰの粒子の密度より大きい、
請求項１から６の何れか一項に記載の吸収性物品。
【請求項８】
前記当接部は、前記着用者の股下領域及び後身頃に対応する部位にあるＳＡＰの粒子の密度が、前記着用者の前身頃に対応する部位にあるＳＡＰの粒子の密度より大きい、
請求項１から６の何れか一項に記載の吸収性物品。
【発明の詳細な説明】
【技術分野】
【０００１】
本発明は、吸収性物品に関する。
【背景技術】
【０００２】
使い捨ておむつ、尿パッド、生理用品等の吸収性物品においては、尿や体液を吸収する吸収材として、パルプや高吸収性重合体（Ｓｕｐｅｒ  Ａｂｓｏｒｂｅｎｔ  Ｐｏｌｙｍｅｒ：ＳＡＰ）が用いられている（例えば、特許文献１を参照）。通常、これらの吸収材は薄いシート状、マット状等の形状に成形された吸収体として、吸収性物品の肌当接面側に配置される。例えば、パルプマット中に、ＳＡＰ粒子が分散配置された吸収体や、複数のパルプマットの層間に、前記ＳＡＰ粒子が層状に配置された吸収体が知られている。
【先行技術文献】
【特許文献】
【０００３】
【特許文献１】特開２０１７−７７４００号公報
【発明の概要】
【発明が解決しようとする課題】
【０００４】
吸収性物品には、尿や便等の液体を吸収する吸収体の他に、液体の流出を防ぐギャザーが各部に設けられている。ギャザーは、着用者の肌に密着することで、吸収性物品と着用者の肌との間に液体の流出経路となる隙間が形成されるのを可及的に抑制する。しかし、ギャザーは、通常、液体を透過しないシートを糸ゴムの弾性力で着用者の肌に密着させる構造を採っているため、当該シートと肌との間に隙間が出来ると液体の流出を止めることができない。
【０００５】
そこで、本発明は、液体の漏出を抑制した吸収性物品を提供することを目的とする。
【課題を解決するための手段】
【０００６】
上記課題を解決するため、本発明では、吸収体の左右両側の各縁にＳＡＰ粒子群を有する一対の当接部を設けることにした。
【０００７】
詳細には、本発明は、長手方向に沿った長さと、長手方向に直交する幅方向に沿った横幅とを有する吸収性物品であって、液不透過性のバックシートと、バックシートに接合される液透過性のトップシートと、バックシートとトップシートとの間に配される吸収体と、吸収体の左右両側の各縁において、吸収体をトップシート側から見た場合に少なくとも一部が吸収体に重なる状態で吸収体よりもトップシート側に配されており、高吸収性重合体であるＳＡＰの粒子群を有する、吸収性物品の着用者の臀部と吸収体との間において臀部に当接することになる一対の当接部と、を備える。
【０００８】
ここで、ＳＡＰの粒子群には、ＳＡＰの微粉やその他の異物が含まれてもよいが、主にＳＡＰ粒子が占めていることが好ましい。また、本願においてＳＡＰ粒子とは、ＳＡＰを含む樹脂組成物を粒状としたものを指すものとする。そして、「ＳＡＰを含む樹脂組成物」とは、ＳＡＰのみからなる組成物、ＳＡＰを主成分とし、これに吸水性に悪影響を及ぼさない程度に他の物質が含まれた組成物、の双方を包含する概念である。ＳＡＰには、デンプン系、セルロース系、合成樹脂系の材料を使用可能である。また、吸収体の左右両側の各縁とは、着用者から液体が排出される部位の直下に置かれる吸収体の左右両側という程度の意味であり、吸収体の左右両側の縁の位置が判然としないような形態において、着用者から排出される液体の漏出に寄与しない部位に限定する概念を含むものではない。
【０００９】
なお、吸収性物品は、着用者の前身頃、股下領域、後身頃に対応する部位を有し、吸収体は、前身頃に対応する部位から後身頃に対応する部位にまで延在し、当接部は、吸収体の左右両側の各縁の前身頃に対応する部位から後身頃に対応する部位にまで延在するものであってもよい。
【００１０】
また、当接部は、トップシートに粘着剤で固定されていてもよい。
【００１１】
また、当接部は、ＳＡＰの粒子群を基材に付着させたシートであり、着用者の下肢に対応する部位を切り欠いた切り欠き部を有するものであってもよい。
【００１２】
また、吸収体は、パルプ繊維に粒子状吸収材を含有させたものであり、当接部は、ＳＡＰの粒子群を基材に固定または繊維状材料に内包したシートであってもよい。
【００１３】
また、当接部は、幅方向における両端部のうち吸収性物品の外側に近い方の端部が、吸収体の幅方向における両端部よりも外側寄りに存してもよい。
【００１４】
また、当接部は、着用者の股下領域に対応する部位にあるＳＡＰの粒子の密度が、着用者の前身頃及び後身頃に対応する部位にあるＳＡＰの粒子の密度より大きくてもよい。
【００１５】
また、当接部は、着用者の股下領域及び後身頃に対応する部位にあるＳＡＰの粒子の密度が、着用者の前身頃に対応する部位にあるＳＡＰの粒子の密度より大きくてもよい。
【００１６】
また、本発明は、方法の側面から捉えることもできる。すなわち、本発明は、例えば、吸収性物品の製造方法であって、液不透過性のバックシートに吸収体を載せるステップと、高吸収性重合体であるＳＡＰの粒子群を有する一対のＳＡＰシートを、少なくとも一部が吸収体の左右両側の各縁に重なる状態でバックシートに載せるステップと、ＳＡＰシートが左右両側の縁に載った吸収体を、液透過性のトップシートとバックシートで挟むステップと、を含むものであってもよい。
【００１７】
また、バックシートに吸収体を載せるステップでは、バックシートを巻き付けたロールから連続的に繰り出されるシートに吸収体を載せており、ＳＡＰシートを吸収体の左右両側の各縁に載せるステップでは、ＳＡＰシートを巻き付けたロールから連続的に繰り出されるシートを左右に切り分けながら、少なくとも一部が吸収体の左右両側の各縁に重なる状態でバックシートに載せてもよい。
【発明の効果】
【００１８】
上記の吸収性物品であれば、液体の漏出を抑制可能である。
【図面の簡単な説明】
【００１９】
【図１】図１は、テープ型使い捨ておむつの斜視図である。
【図２】図２は、テープ型使い捨ておむつの分解斜視図である。
【図３】図３は、テープ型使い捨ておむつの断面形状の変化を示した図である。
【図４】図４は、吸収体とＳＡＰシートと着用者の臀部との位置関係を示した図である。
【図５】図５は、テープ型使い捨ておむつの製造方法の第１例を示した図である。
【図６】図６は、テープ型使い捨ておむつの製造方法の第２例を示した図である。
【発明を実施するための形態】
【００２０】
以下、本発明の実施形態について説明する。以下に示す実施形態は、本発明の実施形態
の一例であり、本発明の技術的範囲を以下の態様に限定するものではない。
【００２１】
＜実施形態＞
図１は、テープ型使い捨ておむつ（本願でいう「吸収性物品」の一例であり、以下、単に「おむつ」という）の斜視図である。おむつ１は、着用状態において着用者の陰部を覆う股下領域に対応する部位である股下領域１Ｂと、股下領域１Ｂの前側に位置し、着用者の前身頃に対応する部位である前身頃領域１Ｆと、股下領域１Ｂの後ろ側に位置し、着用者の後身頃に対応する部位である後身頃領域１Ｒとを有する。後身頃領域１Ｒの左右両側の縁には、前身頃領域１Ｆの非着用者側の面に設けられたフロントパッチ２Ｆへ貼着可能なテープ２Ｌ，２Ｒが設けられている。よって、おむつ１は、前身頃領域１Ｆが着用者の腹側に配置され、後身頃領域１Ｒが着用者の背側に配置された状態でテープ２Ｌ，２Ｒがフロントパッチ２Ｆに貼着されると、着用者の腹囲と大腿部を取り巻く状態で着用者の身体に固定される。おむつ１がこのような形態で着用者の身体に固定されるので、着用者はおむつ１を着用した状態で立ち歩き可能である。
【００２２】
おむつ１には、液体を吸収して保持することができる吸収体が主に股下領域１Ｂ付近を中心に配置されている。また、おむつ１には、おむつ１と着用者の肌との間に液体の流出経路となる隙間が形成されるのを抑制するべく、着用者の大腿部を取り巻く部位に立体ギャザー３ＢＬ，３ＢＲが設けられ、着用者の腹囲を取り巻く部位にウェストギャザー３Ｒが設けられている。立体ギャザー３ＢＬ，３ＢＲとウェストギャザー３Ｒは、糸ゴムの弾性力で着用者の肌に密着する。よって、着用者の陰部から排出される液体は、おむつ１から殆ど漏出することなくおむつ１の吸収体に吸収される。
【００２３】
図２は、おむつ１の分解斜視図である。おむつ１は、装着状態において外表面を形成するカバーシート４を有する。カバーシート４は、長辺に相当する部位に括れ４ＫＬ，４ＫＲを設けた略長方形の外観を有するシート状の部材である。括れ４ＫＬ，４ＫＲは、着用者の大腿部が位置する箇所に設けられる。カバーシート４は、バックシート５の補強や手触りの向上のために設けられ、例えば、排泄物の漏れを抑制するために、液不透過性の熱可塑性樹脂からなる不織布をその材料として用いることができる。液不透過性の熱可塑性樹脂としては、ポリエチレン（ＰＥ）やポリプロピレン（ＰＰ）等が例示できる。
【００２４】
そして、おむつ１は、カバーシート４の着用者側の面において順に積層されるバックシート５、吸収体６Ｃ、トップシート７を有する。バックシート５、吸収体６Ｃ、トップシート７は、何れも長方形の外観を有するシート状の部材であり、長手方向がカバーシート４の長手方向と一致する状態でカバーシート４に順に積層されている。バックシート５は、カバーシート４と同様に、排泄物の漏れを抑制するために液不透過性の熱可塑性樹脂を材料として形成されたシートである。また、トップシート７は、吸収体６Ｃの吸水面を被覆するように着用者の肌面側に配置される、シート状の部材である。このトップシート７は、その一部又は全部において液透過性を有する。そのため、おむつ１が装着された状態において、着用者から排泄された液体は、着用者の肌に接触し得るトップシート７を通って吸収体６Ｃに進入し、そこで吸収される。例えば、織布、不織布、多孔質フィルムがトップシート７の材料として材用できる。さらにトップシート７も親水性を有していてもよい。
【００２５】
バックシート５、吸収体６Ｃ、トップシート７は、何れも前身頃領域１Ｆから後身頃領域１Ｒにまで延在する。よって、バックシート５と吸収体６Ｃとトップシート７が積層されているカバーシート４で着用者の陰部を覆うと、バックシート５と吸収体６Ｃとトップシート７の各長手方向の両端部は、着用者の腹側と背側に位置する状態となる。すなわち、着用者の陰部は、着用者の腹側から背側まで吸収体６Ｃに覆われる状態となる。したがって、着用者が腹を下へ向けた姿勢と背を下へ向けた姿勢の何れの姿勢で液体を体外へ排
出しても、排出された液体はトップシート７を介して吸収体６Ｃに接触することになる。
【００２６】
また、おむつ１は、上述した立体ギャザー３ＢＬ，３ＢＲを形成するための細長い帯状のサイドシート８Ｌ，８Ｒを有する。サイドシート８Ｌ，８Ｒは、トップシート７の長辺の部分に設けられる。サイドシート８Ｌ，８Ｒには、おむつ１の立体ギャザー３ＢＬ，３ＢＲと同様、着用者の大腿部が位置する箇所に括れ８ＫＬ，８ＫＲが設けられる。そして、括れ８ＫＬ，８ＫＲには糸ゴム８ＥＬ，８ＥＲが長手方向に沿って編み込まれている。よって、括れ８ＫＬ，８ＫＲは、おむつ１が着用状態の形態、すなわち、おむつ１が側面視Ｕ字状の形態になると、糸ゴム８ＥＬ，８ＥＲの収縮力で長手方向に引き寄せられてトップシート７から立ち上がり、液体の流出を防ぐ立体ギャザーとなる。
【００２７】
また、上述したウェストギャザー３Ｒを形成するための糸ゴム９ＥＲは、吸収体６Ｃの端部よりも更に背側の位置において、バックシート５とトップシート７の間に設けられる。糸ゴム９ＥＲは、伸縮方向となる長手方向がおむつ１の左右方向となる向きでバックシート５とトップシート７の間に設けられる。よって、糸ゴム９ＥＲの左右両側に設けられるテープ２Ｌ，２Ｒが、着用者の腹側においてフロントパッチ２Ｆに貼着されると、糸ゴム９ＥＲは、収縮力を発揮しておむつ１を着用者に密着させ、おむつ１と着用者の腹囲との間に隙間が形成されるのを防ぐ。なお、吸収体６Ｃの両側にも、おむつ１と着用者の腹囲との間に隙間が形成されるのを防ぐ糸ゴム９ＳＬ，９ＳＲが設けられている。
【００２８】
また、おむつ１は、吸収体６Ｃの長辺部分である左右両側の各縁において、少なくとも一部が吸収体６Ｃに重なる状態でトップシート７とバックシート５との間に配されているＳＡＰシート６Ｌ，６Ｒ（本願でいう「当接部」の一例である）を有する。ＳＡＰシート６Ｌ，６Ｒは、吸収体６Ｃの長辺部分である左右両側の各縁において、前身頃領域１Ｆから後身頃領域１Ｒにまで延在する細長いシートである。ＳＡＰシート６Ｌ，６Ｒは、着用者の下肢に対応する部位を切り欠いた切り欠き部を有していてもよいし、或いは、切り欠き部を有しない単なる帯状の形態であってもよい。着用者の下肢に対応する部位を切り欠いたＳＡＰシート６Ｌ，６Ｒであれば、ＳＡＰシート６Ｌ，６Ｒが着用者の下肢に与える着用感を軽減することができる。
【００２９】
また、ＳＡＰシート６Ｌ，６Ｒは、トップシート７に対し粘着剤で固定されていてもよいし、或いは、吸収体６Ｃとトップシート７の何れに対しても粘着剤を介さずに配置されていてもよい。ＳＡＰシート６Ｌ，６Ｒがトップシート７に対し粘着剤で固定されていれば、ＳＡＰシート６Ｌ，６Ｒの位置ずれに起因するおむつ１からの液体の漏出を予防できる。また、ＳＡＰシート６Ｌ，６Ｒは、吸収体６Ｃよりもトップシート７側にあればよく、例えば、トップシート７の着用者側の面にＳＡＰシート６Ｌ，６Ｒが設けられていてもよい。
【００３０】
吸収体６Ｃは、パルプ繊維、レーヨン繊維、またはコットン繊維のようなセルロース系繊維の短繊維や、ポリエチレン、ポリプロピレン、またはポリエチレンテレフタレート等の合成繊維に親水化処理を施した短繊維の隙間に、水を吸収し保持することのできる架橋構造を持つ親水性ポリマーであるＳＡＰ等の粒状の吸収性樹脂（本願でいう「粒子状吸収材」の一例である）を保持させた構造を有する。よって、吸収体６Ｃでは、液体を吸収する前後の吸収性樹脂の体積変動は、基本的には吸収性樹脂を隙間に保持する短繊維内で行われることになる。したがって、吸収体６Ｃ全体を俯瞰してみると、液体を吸収した吸収体６Ｃの厚みの膨張率は、吸収性樹脂自体の膨張率ほど大きくはないと言える。
【００３１】
これに対し、ＳＡＰシート６Ｌ，６Ｒは、ＳＡＰの粒子を繊維の隙間に点在配置した構造ではなく、ＳＡＰの粒子群を不織布等のシート状基材の表面に固定させた構造、或いは、ＳＡＰの粒子群を液透過性の繊維状材料の袋に内包した構造を有しており、おむつ１を
構成するその他の構成要素（例えば、吸収体６Ｃ等）と区分けされる。本実施形態のＳＡＰ粒子とは、ＳＡＰを含む樹脂組成物を粒状としたものを指す。ここで言う「ＳＡＰを含む樹脂組成物」とは、ＳＡＰのみからなる組成物、ＳＡＰを主成分とし、これに吸水性に悪影響を及ぼさない程度に他の物質が含まれた組成物、の双方を包含する概念である。「他の物質」としては、添加剤（粒子表面を疎水化する目的で添加される表面改質剤等）、ＳＡＰの合成時に残存した未反応のモノマー等を挙げることができる。
【００３２】
よって、ＳＡＰシート６Ｌ，６Ｒでは、液体を吸収する前後のＳＡＰの体積変動は、ＳＡＰを固着させたシート状基材の表面、或いは、ＳＡＰの粒子を包んだ袋内で行われることになる。そして、ＳＡＰシート６Ｌ，６Ｒでは、吸収体６Ｃにおいて短繊維の隙間に形成されている空間のように、ＳＡＰの体積変動を吸収し得る空間がＳＡＰシート６Ｌ，６Ｒの構造体内に確保されていない。したがって、ＳＡＰシート６Ｌ，６Ｒ全体を俯瞰してみると、液体を吸収したＳＡＰシート６Ｌ，６Ｒの厚みの膨張率は、ＳＡＰ自体の膨張率と同程度になると言える。ＳＡＰシート６Ｌ，６Ｒは、おむつ１において少なくともＳＡＰが重量比で最も多く含有されていることが好ましく、例えば、含有成分が全てＳＡＰ（ＳＡＰ１００％）或いはそれ以下であってもよい。なお、ＳＡＰシート６Ｌ，６ＲにおけるＳＡＰ粒子の膨張の観点から、ＳＡＰ粒子の質量平均粒子径は、例えば１８０〜５００μｍとする。「質量平均粒子径」は公知の篩い分け法により測定することができる。
【００３３】
おむつ１は、上述したようなＳＡＰシート６Ｌ，６Ｒを吸収体６Ｃの左右両側の部分に有しているため、液体を吸収すると断面形状が次のように変化する。図３は、おむつ１の断面形状の変化を示した図である。図３（Ａ）は液体を吸収する前のおむつ１の断面形状を示し、図３（Ｂ）は液体を吸収した後のおむつ１の断面形状を示している。おむつ１では、吸収体６Ｃの左右両側の部分にＳＡＰシート６Ｌ，６Ｒが配置されているため、着用者から排出された液体は、吸収体６ＣとＳＡＰシート６Ｌ，６Ｒに吸収される。ＳＡＰシート６Ｌ，６Ｒは、液体を吸収して膨張し、吸収体６Ｃの左右両側の部分で隆起する。吸収体６Ｃの左右両側の部分で隆起したＳＡＰシート６Ｌ，６Ｒは、着用者から排出された液体が吸収体６Ｃへ吸収される前に吸収体６Ｃの左側や右側へ流れ出るのを防止する土手となり、また、ＳＡＰシート６Ｌ，６Ｒ自体の膨張により吸収体６Ｃと着用者との間に空間を形成する。したがって、仮におむつ１の着用者の肌と括れ８ＫＬ，８ＫＲとの間に隙間が出来ている状態で着用者から液体が排出された場合であっても、当該液体のおむつ１からの漏出は抑制される。ＳＡＰシート６Ｌ，６Ｒは、ＳＡＰシート６Ｌ，６Ｒ自体が尿等の液体を吸収して保持することを目的とするのではなく、このように、ＳＡＰシート６Ｌ，６Ｒ自体が膨らんで吸収体６Ｃと着用者との間に空間を形成することで、吸収体６Ｃが吸水して膨張することによる吸収体６Ｃと着用者との間の空間の喪失を抑制し、着用者から排出された便等の液体が横漏れするのを防止することを目的としている。このため、ＳＡＰシート６Ｌ，６Ｒは、着用者の臀部に当接するが故に、柔軟性を担保するためにＳＡＰ以外の柔軟な材料（例えば、不織布やティッシュ）を含有しつつも、ＳＡＰシート６Ｌ，６Ｒ自体の膨張により吸収体６Ｃと着用者との間に空間が形成できる程度の割合でＳＡＰを多く含有していることが望ましい。ＳＡＰシート６Ｌ，６Ｒは、このような目的のために設けられているから、ＳＡＰシート６Ｌ，６Ｒが吸水した場合の膨張が幅方向ではなく厚み方向となるよう、ＳＡＰを包むシート折り目やＳＡＰが接着される部材、或いは、ＳＡＰシート６Ｌ，６Ｒの吸収体６Ｃとの接着の形態等により、ＳＡＰシート６Ｌ，６Ｒの幅方向の膨張が規制されるように設計することが好ましい。また、ＳＡＰシート６Ｌ，６Ｒは、幅方向における両端部のうちおむつ１の外側に近い方の端部が、吸収体６Ｃの幅方向における両端部よりも外側寄りに存することが好ましい。
【００３４】
なお、ＳＡＰシート６Ｌ，６Ｒは、ＳＡＰの粒子群をＳＡＰシート６Ｌ，６Ｒ全体に均等に配置したものであってもよいが、例えば、着用者の股下領域に対応する部位にあるＳＡＰの粒子の密度が、着用者の前身頃及び後身頃に対応する部位にあるＳＡＰの粒子の密
度より大きくてもよい。また、ＳＡＰシート６Ｌ，６Ｒは、着用者の股下領域及び後身頃に対応する部位にあるＳＡＰの粒子の密度が、着用者の前身頃に対応する部位にあるＳＡＰの粒子の密度より大きくてもよい。着用者の股下領域に対応する部位にあるＳＡＰの粒子の密度が、着用者の前身頃及び後身頃に対応する部位にあるＳＡＰの粒子の密度より大きければ、例えば着用者が立ち歩いておむつ１が重力方向に沿って下側へ位置ずれした場合であっても、ＳＡＰシート６Ｌ，６Ｒが着用者に当接している状態が維持されやすい。また、着用者の股下領域及び後身頃に対応する部位にあるＳＡＰの粒子の密度が、着用者の前身頃に対応する部位にあるＳＡＰの粒子の密度より大きければ、例えば、着用者が寝たきり或いは新生児である場合に、着用者の股下領域及び後身頃に対応する部位における吸収体６Ｃと着用者との間における空間が維持されやすい。
【００３５】
なお、吸収体６ＣとＳＡＰシート６Ｌ，６Ｒの寸法は、例えば、以下のようにして決定することができる。図４は、吸収体６ＣとＳＡＰシート６Ｌ，６Ｒと着用者の臀部との位置関係を示した図である。着用者の臀部は、図４に示されるように、着用者の体内から液体が排出される部位の左側に左臀部ＤＬが存在し、右側に右臀部ＤＲが存在する。図４では、左臀部ＤＬの最も隆起している部位と右臀部ＤＲの最も隆起している部位をそれぞれ「頂部」と称し、破線で示している。図４では、何れのＳＡＰシート６Ｌ，ＳＡＰシート６Ｒも液体を吸収して既に膨張した状態を示している。
【００３６】
ＳＡＰシート６Ｌ，６Ｒは、着用者から排出された液体が吸収体６Ｃへ吸収される前に吸収体６Ｃの左側や右側へ流れ出るのを防止する土手となるため、互いに離間している。そして、ＳＡＰシート６Ｌ，６Ｒは、着用者の体内から液体が排出される部位を左右両側から囲むように配置されている。ＳＡＰシート６ＬとＳＡＰシート６Ｒとの間の距離は、おむつ１の用途にもよるが、例えば、おむつ１が排便に対応する場合には、着用者から排出された便を収容できる程度に離間していることが好ましい。
【００３７】
また、ＳＡＰシート６Ｌ，６Ｒは、ＳＡＰシート６Ｌ，６Ｒと吸収体６Ｃとの間から液体が漏れ出ないよう、少なくとも一部が吸収体６Ｃの左右両側の各縁と重なっている。ＳＡＰシート６Ｌ，６Ｒは、図４（Ａ），（Ｂ），（Ｃ）に図示されるように殆どの部位が吸収体６Ｃの縁と重なっていてもよいし、或いは、図４（Ｄ）に図示されるようにごく一部の部位が吸収体６Ｃの縁と重なっていてもよい。なお、ＳＡＰシート６Ｌ，６Ｒは、吸収体６Ｃの左右両側の各縁の長手方向沿いの全ての部位に渡って重なっている形態と、吸収体６Ｃの左右両側の各縁の長手方向沿いの一部に重なっている形態の何れであってもよい。
【００３８】
吸収体６ＣとＳＡＰシート６Ｌ，６Ｒの寸法は、上記のような条件に従って決定される。そして、吸収体６ＣとＳＡＰシート６Ｌ，６Ｒの具体的な寸法は、おむつ１で想定されている着用者の年齢層や性別、サイズ、おむつ１の特徴等に応じて決定される。例えば、図４（Ｂ）の吸収体６Ｃは、図４（Ａ）に示す吸収体６Ｃよりも横幅が大きいため、吸収体６Ｃで吸収可能な液体量が比較的多い。また、例えば、図４（Ｃ）の吸収体６Ｃは、図４（Ａ）に示す吸収体６Ｃよりも横幅が小さいため、着用者に与える着用感が比較的小さい。また、例えば、図４（Ｄ）のＳＡＰシート６Ｌ，６Ｒは、図４（Ａ），（Ｂ），（Ｃ）に示すＳＡＰシート６Ｌ，６Ｒよりも横幅が大きいため、着用者から排出された液体が吸収体６Ｃへ吸収される前に吸収体６Ｃの左側や右側へ流れ出る可能性が比較的小さい。このように、おむつ１の特徴は、吸収体６ＣやＳＡＰシート６Ｌ，６Ｒの寸法に応じて変化する。よって、吸収体６ＣやＳＡＰシート６Ｌ，６Ｒの寸法は、おむつ１に対して定められる商品の仕様に応じた大きさが採られることになるが、如何なる大きさの寸法を採る場合であっても、ＳＡＰシート６Ｌが左臀部ＤＬに対応する部位に配置され、ＳＡＰシート６Ｒが右臀部ＤＲに対応する部位に配置されるような大きさに決定される。少なくとも、ＳＡＰシート６Ｌが左臀部ＤＬに対応する部位に配置され、ＳＡＰシート６Ｒが右臀部
ＤＲに対応する部位に配置されていれば、ＳＡＰシート６Ｌ，６Ｒは、着用者から液体が排出された場合に膨張し、当該液体が吸収体６Ｃへ吸収される前に吸収体６Ｃの左側や右側へ流れ出るのを防止する土手として機能することができる。
【００３９】
具体的には、例えば、新生児用のおむつ１の場合には、吸収体６Ｃの横幅は８０〜１１５ｍｍの範囲が好ましく、ＳＡＰシート６Ｌ，６Ｒの横幅は寸法は５〜１５ｍｍの範囲が好ましい。また、例えば、乳幼児用のおむつ１の場合には、吸収体６Ｃの横幅は８０〜１１０ｍｍの範囲が好ましく、ＳＡＰシート６Ｌ，６Ｒの横幅は寸法は５〜２０ｍｍの範囲が好ましい。また、例えば、成人用のおむつ１の場合には、吸収体６Ｃの横幅は１６０〜３４０ｍｍの範囲が好ましく、ＳＡＰシート６Ｌ，６Ｒの横幅は寸法は５〜２０ｍｍの範囲が好ましい。
【００４０】
また、ＳＡＰシート６Ｌ，６Ｒが液体を吸収して膨張した場合の高さ（厚さ）は、具体的には、例えば、新生児用のおむつ１の場合には２〜６ｍｍの範囲が好ましく、乳幼児用のおむつ１の場合には２〜１０ｍｍの範囲が好ましく、成人用のおむつ１の場合には、吸収体６Ｃの横幅は５〜１５ｍｍの範囲が好ましい。
【００４１】
ＳＡＰシート６Ｌ，６Ｒは、例えば、以下のような方法で吸収体６Ｃの左右両側の縁に重ねることができる。
【００４２】
図５は、おむつ１の製造方法の第１例を示した図である。本第１例の製造方法において、ＳＡＰシート６Ｌ，６Ｒは、例えば、図５に示されるように、ＳＡＰシート６Ｌ，６Ｒの原料シートを芯材に巻き付けたロールから連続的に繰り出される帯状のＳＡＰ原料シートＧ６ＬＲをローラーカッタＲＣで左右均等に切り分けてから吸収体原料シートＧ６Ｃに重ねた後、適当な長さと形状に切り分けられることにより、吸収体６Ｃに重なった状態で形成される。吸収体６Ｃに重なった状態のＳＡＰシート６Ｌ，６Ｒは、吸収体６Ｃと共にカバーシート４上のバックシート５へ載せられ、トップシート７に覆われる。その後、テープ２Ｌ，２Ｒやフロントパッチ２Ｆの取付等の後工程が行われ、おむつ１が完成する。
【００４３】
本第１例の製造方法であれば、ＳＡＰ原料シートＧ６ＬＲを芯材に巻き付けた１つのロールからＳＡＰシート６Ｌ，６Ｒを連続的に形成することができるため、ＳＡＰシート６Ｌの原料シートを芯材に巻き付けたロールと、ＳＡＰシート６Ｒの原料シートを芯材に巻き付けたロールの２つを用意する場合に比べると、資材の取り扱いが容易である。
【００４４】
図６は、おむつ１の製造方法の第２例を示した図である。本第２例の製造方法において、ＳＡＰシート６Ｌ，６Ｒは、例えば、図６に示されるように、帯状のＳＡＰ原料シートＧ６ＬＲからローラーカッタＲＣによって左右均等に切り分けられた後、適当な長さと形状に切り分けられることで形成される。そして、吸収体原料シートＧ６Ｃから適当な長さと形状に切り分けられた吸収体６Ｃの左右両側の縁に重ねられた後、カバーシート４上のバックシート５へ載せられ、トップシート７に覆われる。その後、後工程が行われておむつ１が完成する。
【００４５】
本第２例の製造方法であれば、ＳＡＰ原料シートＧ６ＬＲからのＳＡＰシート６Ｌ，６Ｒの切り出しと、吸収体原料シートＧ６Ｃからの吸収体６Ｃの切り出しが別々に行われるため、上記第１例の製造方法に比べると、ＳＡＰシート６Ｌ，６Ｒの形状や大きさを比較的自由に設計することができる。
【００４６】
なお、上記実施形態では、テープ型の使い捨ておむつが例示されていたが、その他の形態の吸収性物品においてもＳＡＰシート６Ｌ，６Ｒを吸収体６Ｃの左右両側の縁へ重ねた形態を適用可能である。ＳＡＰシート６Ｌ，６Ｒを吸収体６Ｃの左右両側の縁に重ねた形
態を適用可能な吸収性物品としては、例えば、パンツ型の使い捨ておむつ、尿パッド、軽失禁パッドといったギャザー付きの各種形態の吸収性物品や、ギャザーの無いフラットな吸収性物品を挙げることができる。
【符号の説明】
【００４７】
１・・おむつ（テープ型使い捨ておむつ）：１Ｂ・・股下領域：１Ｆ・・前身頃領域：１Ｒ・・後身頃領域：２Ｆ・・フロントパッチ：２Ｌ，２Ｒ・・テープ：３ＢＬ，３ＢＲ・・立体ギャザー：３Ｒ・・ウェストギャザー：４・・カバーシート：４ＫＬ，４ＫＲ・・括れ：５・・バックシート：６Ｃ・・吸収体：６Ｌ，６Ｒ・・ＳＡＰシート：７・・トップシート：８・・サイドシート：８ＫＬ，８ＫＲ・・括れ：８ＥＬ，８ＥＲ，９ＳＬ，９ＳＲ，９ＥＲ・・糸ゴム：ＤＬ・・左臀部：ＤＲ・・右臀部：Ｇ６ＬＲ・・ＳＡＰ原料シート：Ｇ６Ｃ・・吸収体原料シート：ＲＣ・・ローラーカッタ
【図１】
2019136150.tif 000003
【図２】
2019136150.tif 000004
【図３】
2019136150.tif 000005
【図４】
2019136150.tif 000006
【図５】
2019136150.tif 000007
【図６】
2019136150.tif 000008